(57)【要約】  共に存在する異なる送信レートを有するＰＯＮに対する帯域幅割り当て方法を提供する。異なる送信レートを有するＯＮＵのカテゴリを記録するために、カテゴリテーブルエントリがＯＬＴ中に設定される。ＯＬＴは、カテゴリテーブルエントリにしたがって、異なる送信レートを有するＯＮＵに対して、統一されたタイムスロット割り当てを実行して、アップリンク帯域幅割り当てテーブルエントリを形成する。アップリンク帯域幅割り当てテーブルエントリにしたがって、対応するダウンリンク光チャネルに対して、異なる送信レートを有するＯＮＵに対する帯域幅割り当て命令が、異なる波長で、それぞれ伝えられる。共に存在する異なる送信レートを有するＰＯＮに対する帯域幅割り当て装置や、ＯＮＵに対するダウンリンクレートを決定するための方法や、異なるレートを有するＯＮＵが属する発見ウィンドウを決定するための方法および装置も提供する。【選択図】    図５
2010509812.tif 000002
【特許請求の範囲】
【請求項１】
共に存在する異なる送信レートを有する受動光ネットワーク（ＰＯＮ）に対する帯域幅割り当て方法において、
異なる送信レートを有する光ネットワーク加入者ユニット（ＯＮＵ）のカテゴリを記録するために、カテゴリテーブルエントリを光ネットワーク回線端末（ＯＬＴ）中に設定することと、
前記カテゴリテーブルエントリにしたがって、前記異なる送信レートを有するＯＮＵに対して、統一されたタイムスロット割り当てを実行することによって、アップリンク帯域幅テーブルエントリを前記ＯＬＴにより形成することと、
前記アップリンク帯域幅割り当てテーブルエントリにしたがって、異なる光波長を有する対応するダウンリンク光チャネルに対して、前記異なる送信レートを有するＯＮＵに対する帯域幅割り当て命令をそれぞれ伝えることとを含む方法。
【請求項２】
前記ＯＬＴにおけるカテゴリテーブルエントリセットは、高送信レートおよび低送信レートに対するカテゴリテーブルエントリを含み、
前記異なる送信レートを有するＯＮＵは、高送信レートを有するＯＮＵと、低送信レートを有するＯＮＵとを含む請求項１記載の方法。
【請求項３】
統一されたタイムスロット割り当てを実行することは、
高送信レートを有するＯＮＵに対するアップリンクタイムスロットが互いに隣接し、かつ、低送信レートを有するＯＮＵに対するアップリンクタイムスロットが互いに隣接するようにするために、ＯＮＵの異なる送信レートにしたがってＯＮＵをグループ化することを含む請求項２記載の方法。
【請求項４】
前記高送信レートを有するＯＮＵは、１０Ｇｂｐｓの送信レートを有するＯＮＵを含み、
前記低送信レートを有するＯＮＵは、１Ｇｂｐｓの送信レートを有するＯＮＵを含む請求項３記載の方法。
【請求項５】
統一されたタイムスロット割り当てを実行することは、
１５５０ｎｍの波長の光によって、１０Ｇｂｐｓを有するＯＮＵに対する帯域幅割り当て命令を伝え、前記１０Ｇｂｐｓを有するＯＮＵに対する帯域幅割り当て命令を、前記１０Ｇｂｐｓを有するＯＮＵに向けて送信させることと、
１４９０ｎｍの波長によって、１Ｇｂｐｓを有するＯＮＵに対する帯域幅割り当て命令を伝え、前記１Ｇｂｐｓを有するＯＮＵに対する帯域幅割り当て命令を、前記１Ｇｂｐｓを有するＯＮＵに向けて送信させることとを含む請求項４記載の方法。
【請求項６】
共に存在する異なる送信レートを有する受動光ネットワーク（ＰＯＮ）に対する帯域幅割り当て装置において、
異なる送信レートを有する光ネットワーク加入者ユニット（ＯＮＵ）のカテゴリを記録するために、カテゴリテーブルエントリを設定するように構成されているカテゴリテーブルエントリ設定モジュールと、
前記カテゴリテーブルエントリにしたがって、前記異なる送信レートを有するＯＮＵに対して、統一されたタイムスロット割り当てを実行することによって、アップリンク帯域幅割り当てテーブルエントリを形成するように構成されているタイムスロット割り当てモジュールと、
前記アップリンク帯域幅割り当てテーブルエントリにしたがって、前記異なる送信レートを有するＯＮＵに対する帯域幅割り当て命令を、異なる波長を有する対応するダウンリンク光チャネルにそれぞれ伝えさせるように構成されている帯域幅割り当てモジュールとを具備する帯域幅割り当て装置。
【請求項７】
前記カテゴリテーブルエントリセットは、高送信レートおよび低送信レートに対するカテゴリテーブルエントリを含み、
前記異なる送信レートを有するＯＮＵは、高送信レートを有するＯＮＵと、低送信レートを有するＯＮＵとを含む請求項６記載の帯域幅割り当て装置。
【請求項８】
前記タイムスロット割り当てモジュールは、高送信レートを有するＯＮＵに対するアップリンクタイムスロットが互いに隣接し、かつ、低送信レートを有するＯＮＵに対するアップリンクタイムスロットが互いに隣接するようにするために、ＯＮＵの異なる送信レートにしたがってＯＮＵをグループ化するようにさらに構成されている請求項７記載の帯域幅割り当て装置。
【請求項９】
前記高送信レートを有するＯＮＵは、１０Ｇｂｐｓの送信レートを有するＯＮＵを含み、
前記低送信レートを有するＯＮＵは、１Ｇｂｐｓの送信レートを有するＯＮＵを含む請求項８記載の帯域幅割り当て装置。
【請求項１０】
前記タイムスロット割り当てモジュールは、
１５５０ｎｍの波長の光によって、１０Ｇｂｐｓを有するＯＮＵに対する帯域幅割り当て命令を伝え、前記１０Ｇｂｐｓを有するＯＮＵに対する帯域幅割り当て命令を、前記１０Ｇｂｐｓを有するＯＮＵに向けて送信させ、
１４９０ｎｍの波長の光によって、１Ｇｂｐｓを有するＯＮＵに対する帯域幅割り当て命令を伝え、前記１Ｇｂｐｓを有するＯＮＵに対する帯域幅割り当て命令を、前記１Ｇｂｐｓを有するＯＮＵに向けて送信させるようにさらに構成されている請求項９記載の帯域幅割り当て装置。
【請求項１１】
光ネットワーク加入者ユニット（ＯＮＵ）に対するダウンリンクレートを決定するための方法において、
発見プロセスにおいて、各波長によって、特定のダウンリンクレートを有するＯＮＵに向けられている発見メッセージを配信することと、
前記特定のダウンリンクレートを有するＯＮＵに対して専用発見ウィンドウを規定し、前記発見ウィンドウ中に登録されたＯＮＵが、前記特定のダウンリンクレートを有するＯＮＵであると決定することとを含む方法。
【請求項１２】
前記特定のダウンリンクレートは、１０Ｇｂｐｓまたは１Ｇｂｐｓを含む請求項１１記載の方法。
【請求項１３】
前記発見メッセージは、前記特定のダウンリンクレートが１０Ｇｂｐｓであるときに、１５５０ｎｍの波長によって配信される請求項１２記載の方法。
【請求項１４】
前記発見メッセージは、前記特定のダウンリンクレートが１Ｇｂｐｓであるときに、１４９０ｎｍの波長によって配信される請求項１２記載の方法。
【請求項１５】
光ネットワーク加入者ユニット（ＯＮＵ）に対するダウンリンクレートを決定するための装置において、
発見プロセスにおいて、各波長によって、特定のダウンリンクレートを有するＯＮＵに向けられている発見メッセージを配信するように構成されている発見メッセージ配信モジュールと、
前記特定のダウンリンクレートを有するＯＮＵに対して専用発見ウィンドウを規定し、前記発見ウィンドウ中に登録されたＯＮＵが、前記特定のダウンリンクレートを有するＯＮＵであると決定するように構成されているＯＮＵダウンリンクレート決定モジュールとを具備する装置。
【請求項１６】
前記特定のダウンリンクレートは、１０Ｇｂｐｓまたは１Ｇｂｐｓを含む請求項１５記載の装置。
【請求項１７】
前記発見モジュールは、前記特定のダウンリンクレートが１０Ｇｂｐｓであるときに、１５５０ｎｍの波長によって前記発見メッセージを配信するようにさらに構成されている請求項１６記載の装置。
【請求項１８】
前記発見モジュールは、前記特定のダウンリンクレートが１Ｇｂｐｓであるときに、１４９０ｎｍの波長によって前記発見メッセージを配信するようにさらに構成されている請求項１６記載の装置。
【請求項１９】
異なるレートを有する光ネットワーク加入者ユニット（ＯＮＵ）が属する発見ウィンドウを決定するための方法において、
発見プロセスにおいて、発見ウィンドウに対応しているプロトコルメッセージを前記ＯＮＵから受け取ることと、
前記ＯＮＵのダウンリンクレートと識別情報とにしたがって、前記ＯＮＵが属する発見ウィンドウを決定することとを含み、
前記プロトコルメッセージは、前記識別情報を含み、
前記識別情報は、前記発見ウィンドウと前記ダウンリンクとの間の対応を示す方法。
【請求項２０】
異なるレートを有する光ネットワーク加入者ユニット（ＯＮＵ）が属する発見ウィンドウを決定するための装置において、
発見プロセスにおいて、発見ウィンドウに対応しているプロトコルメッセージを前記ＯＮＵから受け取るように構成されている受け取りモジュールと、
前記ＯＮＵのダウンリンクのレートと識別情報とにしたがって、前記ＯＮＵが属する発見ウィンドウを決定するように構成されている決定モジュールとを具備し、
前記プロトコルメッセージは、前記識別情報を含み、
前記識別情報は、前記発見ウィンドウと前記ダウンリンクとの間の対応を示す装置。
【発明の詳細な説明】
【発明の分野】
【０００１】
本発明は、一般的に、通信の分野に関する。さらに詳細に説明すると、共に存在する異なる送信レートを有する受動光ネットワーク（ＰＯＮ）における帯域幅割り当てのための方法およびデバイスに関する。
【背景】
【０００２】
現在、多くのインターネットサービスは、モデム、非対称デジタル加入者回線（ＡＤＳＬ）、ケーブルモデム（ＣＭ）、ＶＤＳＬをダイヤルする手段によってアクセスされており、これらの送信レートは、１秒あたり５６ｋｂｐｓから数メガビットである。しかしながら、高品質ビデオ情報サービス、ビデオオンデマンド（ＶｏＤ）サービス等のような、さまざまなサービスを提供するためには、データ送信レートは、約１００Ｍｂｐｓの帯域幅を有することが要求される。先に述べたアクセススキームで、この要求を満たすことはできない。それゆえに、光ファイバを用いたアクセスネットワークを配備する要求が、急速に増加している。受動光ネットワーク（ＰＯN）は、正確には、新しいサービスの要求を満たす加入者アクセスネットワークであり、これは、経済的であり、かつ、維持および動作しやすい。図１は、ＰＯＮマルチキャスティングネットワークの構成を図示している図である。受動光ネットワークは、光ネットワーク回線端末（ＯＬＴ）から信号を受け取り、光配信ネットワーク（ＯＤＮ）によって、各加入者端末に信号を配信する（ＯＮＵ／ＯＮＴについて。ＯＮＴは、光ネットワーク加入者端末であり、加入者側に位置付けられている。ＯＮＵは、光ネットワーク加入者ユニットであり、ローカルイーサネット（登録商標）のような別のネットワークを通じて加入者端末に接続されている）。マルチメディア信号は、加入者端末において受け取られてもよい。ＯＬＴは、オフィス側に位置付けられており、ＯＮＵ／ＯＮＴは加入者側に位置付けられている。ＯＬＴからＯＮＵ／ＯＮＴへの方向はダウンリンク方向であり、反対方向はアップリンク方向である。ダウンリンク方向では、時分割多重化に基づいたマルチキャスティングが用いられる。ＯＬＴからの光信号は、一般的にＯＤＮによって配信され、加入者端末に出力される。１対１６、１対３２、および１対６４の配信スキームが存在する。
【０００３】
現在の商用ＰＯＮシステムのアップリンクおよびダウンリンク送信レートは、１Ｇｂｐｓである。１：３２の配信比が用いられたとき、約３０Ｍｂｐｓの帯域幅が各加入者によって取得される。ＩＰテレビ（ＩＰＴＶ）、ビデオ電話のようなネットワークサービスの発展にともなって、３０Ｍｂｐｓの帯域幅では、もはや、加入者の要求を満たすことではできない。
【０００４】
このために、ＩＥＥＥおよびＩＴＵＴのような主な国際標準化機構は、１０ＧｂｐｓＥＰＯＮおよび高送信レートＴＤＭＡ−ＰＯＮに対して産業標準規格を確立している。１０ＧｂｐｓのＰＯＮに対する送信レートは１０Ｇｂｐｓになるので、各加入者に対する帯域幅が１０倍増加すると、３００Ｍｂｐｓになる。
【０００５】
しかしながら、さらに、非常に多くの１ＧｂｐｓのＰＯＮ加入者が存在するケースでは、１０ＧｂｐｓのＰＯＮシステムは、１ＧｂｐｓＰＯＮシステムと共に存在することになる。
【０００６】
図２は、さまざまな要因を考慮に入れたときの、共存に対する好ましいスキームである。ダウンリンク１０ＧｂｐｓのＯＮＵは１５５０ｎｍの波長を使用し、１ＧｂｐｓのＯＮＵはさらに１４９０ｎｍの波長を使用している。これらのアップリンクは、１３１０ｎｍの波長を共有する。
【０００７】
今日のＰＯＮにおいて、帯域幅割り当ては、まさに、同じ送信レートのＯＮＵに対するものである。１０Ｇｂｐｓおよび１ＧｂｐｓのＯＮＵのようなＰＯＮにおける異なる送信レートのＯＮＵが存在するとき、関連する技術スキームにしたがって、１つの波長がアップリンクとの間で共有されるので、ＯＬＴは、統一された方法で時間に関してスケジューリングされる必要があり、帯域幅割り当てのための最も効率的な方法が見出される必要がある。
【０００８】
したがって、この分野における問題を解決するために、共に存在する異なる送信レートを有するＰＯＮにおける帯域幅割り当てのための解決策が必要とされる。
【概要】
【０００９】
共に存在する異なる送信レートを有するＰＯＮのケースにおける関連技術中の、時間に関して統一されたスケジューリングを必要とする問題を解決するために、本発明の実施形態は、共に存在する異なる送信レートを有するＰＯＮでの帯域幅割り当てのための方法およびデバイスを提供する。
【００１０】
本発明の実施形態は、以下の技術的な解決策で実現される。
【００１１】
本発明の実施形態は、共に存在する異なる送信レートを有するＰＯＮに対する帯域幅割り当て方法を提供する。方法は、以下のステップを含む。
【００１２】
異なる送信レートを有する光ネットワーク加入者ユニット（ＯＮＵ）のカテゴリを記録するために、カテゴリテーブルエントリが光ネットワーク回線端末（ＯＬＴ）中に設定される。
【００１３】
テーブルエントリにしたがって、異なる送信レートを有するＯＮＵに対して、統一されたタイムスロット割り当てを実行することによって、ＯＬＴにより、アップリンク帯域幅割り当てテーブルエントリが形成される。
【００１４】
アップリンク帯域幅割り当てテーブルエントリにしたがって、異なる波長を有する対応するダウンリンク光チャネルに対して、異なる送信レートを持つＯＮＵに対する帯域幅割り当て命令が、それぞれ伝えられる。
【００１５】
本発明の実施形態は、共に存在する異なる送信レートを有するＰＯＮに対する帯域幅割り当て装置を提供する。装置は、
異なる送信レートを有するＯＮＵのカテゴリを記録するために、カテゴリテーブルエントリを設定するように構成されているカテゴリテーブルエントリ設定モジュールと、
テーブルエントリにしたがって、異なる送信レートを持つＯＮＵに対して、統一されたタイムスロット割り当てを実行することによって、アップリンク帯域幅割り当てテーブルエントリを形成するように構成されているタイムスロット割り当てモジュールと、
アップリンク帯域幅割り当てテーブルエントリにしたがって、異なる送信レートを有する対応するダウンリンク光チャネルに対して、異なる送信レートを有するＯＮＵに対する帯域幅割り当て命令をそれぞれ伝えさせるように構成されている帯域幅割り当てモジュールとを具備する。
【００１６】
本発明の実施形態は、ＯＮＵに対するダウンリンクレートを決定するための方法を提供する。方法は、以下のステップを含む。
【００１７】
発見プロセスにおいて、各波長によって、特定のダウンリンクレートを有するＯＮＵに向けられている発見メッセージが配信される。
【００１８】
特定のダウンリンクレートを有するＯＮＵに対する専用発見ウィンドウが規定され、発見ウィンドウにおいて登録されたＯＮＵが、特定のダウンリンクレートを有するＯＮＵであると決定される。
【００１９】
本発明の実施形態は、ＯＮＵに対するダウンリンクレートを決定するための装置を提供する。装置は、
発見プロセスにおいて、各波長によって、特定のダウンリンクレートを有するＯＮＵに向けられている発見メッセージを配信するように構成されている発見メッセージ配信モジュールと、
特定のダウンリンクレートを有するＯＮＵに対して専用発見ウィンドウを規定し、発見ウィンドウに登録されたＯＮＵが、特定のダウンリンクレートを有するＯＮＵであると決定するように構成されているＯＮＵダウンリンクレート決定モジュールとを具備する。
【００２０】
本発明の実施形態は、異なるレートを有するＯＮＵが属する発見ウィンドウを決定するための方法を提供する。方法は、以下のステップを含む。
【００２１】
発見プロセスにおいて、発見ウィンドウに対応しているプロトコルメッセージがＯＮＵから受け取られ、プロトコルメッセージは識別情報を含み、識別情報は発見ウィンドウとダウンリンクレートとの間の対応を示す。
【００２２】
ＯＮＵが属する発見ウィンドウは、ＯＮＵのダウンリンクレートと、識別情報とにしたがって決定される。
【００２３】
本発明の実施形態は、異なるレートを有するＯＮＵが属する発見ウィンドウを決定するための装置を提供する。装置は、
発見プロセスにおいて、発見ウィンドウに対応しているプロトコルメッセージをＯＮＵから受け取るように構成され、そして、プロトコルメッセージは識別情報を含み、識別情報は発見ウィンドウと、ダウンリンクレートとの間の対応を示す受け取りモジュールと、
ＯＮＵのダウンリンクレートと識別情報とにしたがって、ＯＮＵが属する発見ウィンドウを決定するように構成されている決定モジュールとを具備する。
【００２４】
先に述べた解決策によって、本発明の実施形態では、極めて効率的な帯域幅割り当てを実現するために、ＯＮＵカテゴリ情報がＯＬＴによって管理され、統一されたタイムスロット割り当てがカテゴリ情報にしたがって実行される。本発明の実施形態において、以下の技術的効果が実現される。
【００２５】
（１）共に存在する異なる送信レートを有するＰＯＮに対して、帯域幅割り当てが実現される。
【００２６】
（２）共に存在する異なる送信レートを有するＰＯＮに対して、極めて効率的な帯域幅割り当てが提供される。
【００２７】
本発明の他の特徴および効果が、以下の説明において説明され、この説明から部分的に明らかになり、また、本発明を実現することによって理解されるだろう。本発明の目的および他の効果は、詳細な説明、特許請求の範囲、および図面において指し示した構成によって実現され、得られてもよい。
【図面の簡単な説明】
【００２８】
本発明の理解を容易にするために、図面を提供している。図面は、本願の一部分である。本発明の例示的な実施形態および実施形態の説明は、本発明を限定するためではなく、本発明を説明するために用いた。
【図１】図１は、先行技術における、ＰＯＮネットワークシステムの構成を図示している図である。
【図２】図２は、先行技術における、１０Ｇｂｐｓおよび１ＧｂｐｓのＯＮＵが共に存在するＰＯＮネットワークを図示している図である。
【図３】図３は、本発明の１つの実施形態における、ＯＮＵに対するダウンリンクレートを決定するための方法を図示しているフローチャートである。
【図４】図４は、本発明の１つの実施形態における、ＯＮＵに対するダウンリンクレートを決定するための装置を図示しているブロック図である。
【図５】図５は、本発明の１つの実施形態における、共に存在する異なる送信レートを有するＰＯＮでの帯域幅割り当てのための方法を図示しているフローチャートである。
【図６】図６は、本発明の１つの実施形態における、共に存在する異なる送信レートを有するＰＯＮでの帯域幅割り当てのための装置を図示しているブロック図である。
【図７】図７は、本発明の１つの実施形態における、１Ｇｂｐｓおよび１０Ｇｂｐｓの送信レートを有するレーザの切替時間を図示している。
【図８】図８は、本発明の１つの実施形態における、１Ｇｂｐｓの送信レートを有するメッセージの保護時間期間と、１０Ｇｂｓの送信レートを有するメッセージの保護時間期間との間の比較を図示している図である。
【図９】図９は、本発明の実施形態における、異なる帯域幅に対する割り当て効率間の比較を図示している図である。
【図１０】図１０は、異なるレートを有するＯＮＵが属する発見ウィンドウを決定するための方法を図示しているフローチャートである。
【図１１】図１１は、異なるレートを有するＯＮＵが属する発見ウィンドウを決定するための装置を図示しているブロック図である。
【詳細な説明】
【００２９】
図面および具体化している実施形態に関連して、本発明を詳細に説明する。
【００３０】
本発明の実施形態では、異なるダウンリンクレートのために、１０Ｇｂｐｓを有するＯＮＵおよび１Ｇｂｐｓを有するＯＮＵのような、ＯＮＵが、異なるダウンリンク波長を使用することが提示されている。
【００３１】
本発明の実施形態は、ＯＮＵに対するダウンリンクレートを決定するための方法を提供する。方法は、以下のステップを含む。
【００３２】
ステップ３０２：発見プロセスにおいて、各波長を有する光によって、特定のダウンリンクレートを有するＯＮＵに向けられている発見メッセージが配信される。
【００３３】
ステップ３０４：特定のダウンリンクレートを有するＯＮＵに対して、特別な発見ウィンドウが規定され、発見ウィンドウ中に登録されたＯＮＵが、特定のダウンリンクレートを有するＯＮＵであると決定される。
【００３４】
例えば、発見プロセスにおいて、１５５０ｎｍのような各波長によって、１０ＧｂｓのＯＮＵに対する発見メッセージが１０ＧｂｐｓのＯＮＵに対して配信され、１０ＧｂｐｓのＯＮＵ専用の発見ウィンドウが規定される。したがって、この発見ウィンドウ中に登録される何らかのＯＮＵは、１０ＧｂｐｓのＯＮＵである。同様に、１４９０ｎｍのような各波長によって、１ＧｂｐｓのＯＮＵに対する発見メッセージが１ＧｂｐｓのＯＮＵに配信され、１ＧｂｐｓのＯＮＵ専用の発見ウィンドウが規定される。したがって、この発見ウィンドウ中に登録される何らかのＯＮＵは、１ＧｂｐｓのＯＮＵである。
【００３５】
図４は、本発明の１つの実施形態における、ＯＮＵに対するダウンリンクレートを取得するための装置４００を図示している。装置は、
発見プロセスにおいて、各波長によって、特定のダウンリンクレートを有するＯＮＵに向けられている発見メッセージを配信するように構成されている発見メッセージ配信モジュール４０２と、
特定のダウンリンクレートを有するＯＮＵに対して専用発見ウィンドウを規定し、発見ウィンドウ中に登録されたＯＮＵが、特定のダウンリンクレートを有するＯＮＵであると決定するように構成されているＯＮＵダウンリンクレート決定モジュール４０４とを具備している。
【００３６】
代わりに、特定のダウンリンクレートは、１０Ｇｂｐｓまたは１Ｇｂｐｓを含む。発見モジュール４０２は、特定のダウンリンクレートが１０Ｇｂｐｓであるときに、１５５０ｎｍの波長によって発見メッセージを配信するようにさらに構成されている。発見モジュール４０２は、特定のダウンリンクレートが１Ｇｂｓであるときに、１４９０ｎｍの波長によって発見メッセージを配信するようにさらに構成されている。
【００３７】
１０ＧｂｐｓのＯＮＵおよび１ＧｂｐｓのＯＮＵのような異なるアップリンクレートを有するＯＮＵは、同じアップリンク波長を使用することから、デュアルモード受信機またはマルチモード受信機は、ＯＮＵに対するアップリンクレートを識別するように構成されていてもよい。
【００３８】
図５は、本発明の１つの実施形態における、共に存在する異なる送信レートを有するＰＯＮでの帯域幅割り当てのための方法を図示している。方法は、以下のステップを含む。
【００３９】
ステップ５０２：異なる送信レートを有するＯＮＵのカテゴリを記録するために、カテゴリテーブルエントリがＯＬＴ中に設定される。ＯＮＵのアップリンク送信レートおよびダウンリンク送信レートは、カテゴリにしたがって識別されてもよい。
【００４０】
ステップ５０４：テーブルエントリにしたがって、異なる送信レートを有するＯＮＵに対して、統一されたタイムスロット割り当てを実行することによって、ＯＬＴにより、アップリンク帯域幅割り当てテーブルエントリが形成される。
【００４１】
ステップ５０６：アップリンク帯域幅割り当てテーブルエントリにしたがって、異なる波長を有するダウンリンク光チャネルに対して、異なる送信レートに対する帯域幅割り当て命令が、それぞれ伝えられる。すなわち、異なるダウンリンクレートを有するＯＮＵに向けられているデータが、これらのダウンリンクレートに対応している波長にそれぞれ割り当てられる。
【００４２】
代わりに、異なる送信レートを有するＯＮＵは、高送信レートを有するＯＮＵと、低送信レートＯＮＵとを含む。ＯＬＴ中のカテゴリテーブルエントリセットは、２つのカテゴリを含み、２つのカテゴリは、それぞれ、高送信レートに対するテーブルエントリ、および低送信レートに対するテーブルエントリである。
【００４３】
ステップＳ５０４は、高送信レートを有するＯＮＵに対するアップリンクタイムスロットが互いに隣接し、かつ、低送信レートを有するＯＮＵに対するアップリンクタイムスロットが互いに隣接するようにするために、ＯＮＵの異なる送信レートにしたがって、ＯＮＵを２つのグループにグループ化することを含む。
【００４４】
代わりに、高送信レートを有するＯＮＵは１０Ｇｂｐｓの送信レートを有するＯＮＵであり、低い送信レートを有するＯＮＵは１Ｇｂｐｓの送信レートを有するＯＮＵである。
【００４５】
ステップＳ５０４は、以下のステップを含む。１０Ｇｂｐｓを有するＯＮＵに対する帯域幅割り当て命令が、１５５０ｎｍの波長のような各波長によって伝えられ、この帯域幅割り当て命令は１０Ｇｂｐｓを有するＯＮＵに向けて送信される。また、１Ｇｂｐｓを有するＯＮＵに対する帯域幅割り当て命令が、１４９０ｎｍの波長のような各波長によって伝えられ、この帯域幅割り当て命令は１Ｇｂｐｓを有するＯＮＵに向けて送信される。
【００４６】
図６は、本発明の１つの実施形態における、共に存在する異なる送信レートを有するＰＯＮでの帯域幅割り当てのための装置６００を図示している。装置は、
異なる送信レートを有するＯＮＵのカテゴリを記録するために、カテゴリテーブルエントリをＯＬＴ中に設定するように構成され、そして、ＯＮＵに対するアップリンク送信レートおよびダウンリンク送信レートをカテゴリにしたがって識別するカテゴリテーブルエントリ設定モジュール６０２と、
テーブルエントリにしたがって、異なる送信レートを有するＯＮＵに対して、統一されたタイムスロット割り当てを実行することによって、アップリンク帯域幅割り当てテーブルエントリをＯＬＴが形成するように構成されているタイムスロット割り当てモジュール６０４と、
アップリンク帯域幅割り当てテーブルエントリにしたがって、異なる送信レートに対する帯域幅割り当て命令を、異なる波長を有する各ダウンリンク光チャネルに対してそれぞれ伝えさせるように、すなわち、これらのダウンリンクレートに対応している波長によって、異なるダウンリンクレートを有するＯＮＵに向けられているデータをそれぞれ伝えさせるように構成されている帯域幅割り当てモジュール６０６とを具備している。
【００４７】
代わりに、異なる送信レートを有するＯＮＵは、高送信レートを有するＯＮＵと、低送信レートを有するＯＮＵとを含み、ＯＬＴにおけるカテゴリテーブルエントリは２つのカテゴリを含み、２つのカテゴリは高送信レートおよび低送信レートである。
【００４８】
タイムスロット割り当てモジュール６０４は、高送信レートを有するＯＮＵに対するアップリンクタイムスロットが互いに隣接し、かつ、低送信レートを有するＯＮＵに対するアップリンクタイムスロットが互いに隣接するようにするために、ＯＮＵの異なる送信レートにしたがって、ＯＮＵを２つのグループにグループ化するように構成されていてもよい。
【００４９】
代わりに、高送信レートを有するＯＮＵは、１０Ｇｂｐｓの送信レートを有するＯＮＵであり、また、低送信レートを有するＯＮＵは、１Ｇｂｐｓの送信レートを有するＯＮＵである。
【００５０】
タイムスロット割り当てモジュール６０４は、１５５０ｎｍの波長の光によって、１０Ｇｂｐｓを有するＯＮＵに対する帯域幅割り当て命令を伝え、前記１０Ｇｂｐｓを有するＯＮＵに対する帯域幅割り当て命令を、前記１０Ｇｂｐｓを有するＯＮＵに向けて送信させるようにさらに構成され、また、１４９０ｎｍの波長によって、１Ｇｂｐｓを有するＯＮＵに対する帯域幅割り当て命令を伝え、前記１Ｇｂｐｓを有するＯＮＵに対する帯域幅割り当て命令を、前記１Ｇｂｐｓを有するＯＮＵに向けて送信させるようにさらに構成されている。
【００５１】
先の説明から、ＯＬＴでＯＮＵのカテゴリ情報を管理して、カテゴリ情報にしたがって、統一されたタイムスロット割り当てを実行することによって、効率的な帯域幅割り当てが、本発明で実現されることが認識される。
【００５２】
ＯＬＴは、表１に示したように、ＯＮＵに対するカテゴリ情報をテーブルエントリに記録する。
【表１】
2010509812.tif 000003
【００５３】
図２に図示したＰＯＮネットワークでは、２つの異なる送信レートを有するＯＮＵが存在している。表２に示したように、ＯＮＵの光モジュールの物理層パラメータ間で比較的大幅な差が存在する。
【表２】
2010509812.tif 000004
【００５４】
図７は、本発明の１つの実施形態における、１Ｇｂｐｓの送信レートを有するレーザの切替時間と、１０Ｇｂｐｓの送信レートを有するレーザの切替時間とを図示している。
【００５５】
これから図７を参照する。高送信レートを有するＯＮＵおよび低送信レートを有するＯＮＵが共に存在するＰＯＮでは、２種類のＯＮＵが同じアップリンク波長を使用することから、帯域幅割り当てが実行されるときに、異なる送信レートを有する２種類のＯＮＵに対して、統一されたタイムスロット割り当てを実行する必要がある。タイムスロット割り当てのプロセスでは、２種類のＯＮＵの物理パラメータ間の差を考える必要がある。例えば、１ＧｂｐｓのＯＮＵのレーザの切替時間およびＯＬＴのクロック回復時間は、それぞれ、１０ＧｂｐｓのＯＮＵのレーザの切替時間およびＯＬＴのクロック回復時間よりも長い。したがって、異なる１ＧｂｐｓのＯＮＵによって送出されたアップリンクメッセージ間の間隔は、１０ＧｂｐｓのＯＮＵに対するものよりも、はるかに長い。
【００５６】
ガード時間の目的は、メッセージがレーザによって送信された後、レーザが遮断される前に時間間隔を要するからである。レーザは、完全に遮断される前にレーザ光を放出し続けて、レーザ光は他のＯＮＵの通信と干渉するかもしれない。さらに、後でメッセージを送信するためにＯＮＵのレーザを電源投入するためにも、時間間隔が必要とされる。レーザは、完全に電源投入される前に、レーザ光を放出するが、放出されたレーザ光の電力は、通常の通信に対する要求を満たすことができない。
【００５７】
図８は、本発明の１つの実施形態における、１Ｇｂｐｓの送信レートを有するメッセージの保護時間期間と、１０Ｇｂｐｓの送信レートを有するメッセージの保護時間期間との間の比較を図示している。図９は、本発明の１つの実施形態における、異なる帯域幅に対する割り当て効率間の比較を図示している。
【００５８】
これから図８を参照する。１ＧｂｐｓのＯＮＵのレーザの切替時間は、１０ＧｂｐｓのＯＮＵのレーザ切替時間よりも、はるかに長いことから、１０Ｇｂｐｓのメッセージおよび１Ｇｂｐｓのメッセージが互いに隣接している場合に、１０ＧｂｐｓのＯＮＵは、アップリンク信号を送信する前に、１ＧｂｐｓのＯＮＵのレーザが完全に遮断されるのを待たなければならない。メッセージ間の保護時間期間は、両方のメッセージが１０Ｇｂｐｓであるケースよりも、はるかに長い。さらに、高速利得およびクロック回復がＯＬＴにおいて実行されたときに送信レートおよび電力が変わった場合、回路の応答には、より多くの時間がかかる。図９を参照すると、１０Ｇｂｐｓのアップリンクメッセージが１つのグループにグループ化され、１Ｇｂｐｓのアップリンクメッセージが１つのグループにグループ化された場合に、アップリンク帯域幅割り当ての効率は上がる。
【００５９】
異なる送信レートを有する２種類のＯＮＵに対する統一されたタイムスロット割り当てが、ＯＬＴによって実行された後、帯域幅割り当てテーブルエントリは、表３に示したように形成される。
【表３】
2010509812.tif 000005
【００６０】
テーブルエントリの内容にしたがって、ＯＬＴが、１０ＧｂｐｓのＯＮＵに対する帯域幅割り当て命令を１５５０ｎｍ波長で伝えて、この命令を１０ＧｂｓのＯＮＵに向けて送信し、１ＧｂｐｓのＯＮＵに対する帯域幅割り当て命令を１４９０ｎｍ波長で伝えて、この命令を１ＧｂｓのＯＮＵに向けて送信する。
【００６１】
本発明の１つの実施形態では、図１０に図示したように、異なるレートを有するＯＮＵが属する発見ウィンドウを決定するための方法をさらに提供する。プロセスは、以下のとおりである。
【００６２】
ステップＳ１００２：発見プロセスにおいて、発見ウィンドウに対応しているプロトコルメッセージがＯＮＵから受け取られ、プロトコルメッセージは識別情報を含み、識別情報は、発見ウィンドウとダウンリンクレートとの間の対応を示している。
【００６３】
ステップＳ１００４：ＯＮＵのダウンリンクレートと識別情報とにしたがって、ＯＮＵが属する発見ウィンドウが決定される。
【００６４】
本発明の１つの実施形態において、異なるレートを有するＯＮＵが属する発見ウィンドウを決定するための装置を提供する。図１１に図示したように、装置は、
発見プロセスにおいて、発見ウィンドウに対応しているプロトコルメッセージをＯＮＵから受け取るように構成され、プロトコルメッセージは識別情報を含み、識別情報が発見ウィンドウとダウンリンクレートとの間の対応を示している受け取りモジュール１１０２と、
ＯＮＵのダウンリンクレートと識別情報とにしたがって、ＯＮＵが属する発見ウィンドウを決定するように構成されている決定モジュール１１０４とを備えている。
【００６５】
以下の技術効果が本発明によって得られることは、先の説明から明らかである。
【００６６】
本発明の実施形態では、ＯＮＵのアップリンクレートにしたがったＯＮＵに対するタイムスロット割り当てと、アップリンク帯域幅割り当てに対するテーブルエントリの形成とによって、帯域幅割り当てはより効率的である。アップリンク帯域幅割り当てのためのテーブルエントリにしたがって、ＯＮＵのダウンリンクレートに対応している波長で帯域幅割り当て命令がＯＮＵに向けて送信される。このように、共に存在する異なるレートを有するＰＯＮにおいて、レートは、帯域幅および波長に対応するようにされ、時間に関してＯＬＴの統一されたスケジューリングを実現し、これは、共に存在する異なるレートを有するＰＯＮでの帯域幅割り当てのための解決策を形成する。
【００６７】
本発明の実施形態では、発見プロセスにおいて、各波長によって、特定のダウンリンクレートを有するＯＮＵに向けて送信されるべき、発見メッセージが配信される。専用発見ウィンドウは、特定のダウンリンクレートを持つＯＮＵに対して規定される。この後、ＯＮＵのダウンリンクレートが発見ウィンドウ中に登録されたなら、ＯＮＵのダウンリンクレートが、特定のダウンリンクレートであると決定される。したがって、ダウンリンクレートを把握することが、非常に便利で、かつ迅速である。さらに、本発明の実施形態では、発見ウィンドウとダウンリンクレートとの間の対応を示すために、発見プロセスにおいて、識別情報を取り入れることによって、ＯＮＵが属する発見ウィンドウは、ＯＮＵのダウンリンクレートと識別情報とにしたがって決定されてもよい。このように、異なるレートを有するＯＮＵに対して異なる発見ウィンドウを規定する解決策が、実現される。
【００６８】
本発明のモジュールまたはステップが汎用コンピュータデバイスによって実現されることを、当業者が理解すべきであることは明らかである。本発明のモジュールまたはステップは、単一のコンピューティングデバイスに集約化されても、あるいは、複数のコンピューティングデバイスによって構成されているネットワーク中に分散されてもよい。代わりに、本発明のモジュールまたはステップは、コンピューティングデバイスによって実行可能なプログラムコードによって実現されて、記憶デバイスに記憶されたり、コンピューティングデバイスによって実行されたりしてもよい。あるいは、本発明のモジュールまたはステップは、集積回路モジュールで実現されてもよく、あるいは、これらの複数のモジュールまたはステップは、単一集積回路モジュールで実現されてもよい。したがって、本発明は、ハードウェアとソフトウェアとの何らかの特定の組み合わせに限定されない。実施形態における変形は当業者に明らかであり、本発明の精神および範囲から逸脱しないことが正しく認識される。
【００６９】
先の説明は、本発明の好ましい実施形態に過ぎず、本発明を限定するために用いられるものではない。当業者に対して、本発明に対するさまざまな変形および変更が存在してもよい。また、本発明の精神および範囲内の何らかの変形、均等物、改良は、本発明の範囲内にすべて含められることを意図する。
【図１】
2010509812.tif 000006
【図２】
2010509812.tif 000007
【図３】
2010509812.tif 000008
【図４】
2010509812.tif 000009
【図５】
2010509812.tif 000010
【図６】
2010509812.tif 000011
【図７】
2010509812.tif 000012
【図８】
2010509812.tif 000013
【図９】
2010509812.tif 000014
【図１０】
2010509812.tif 000015
【図１１】
2010509812.tif 000016
【手続補正書】
【提出日】平成21年8月11日(2009.8.11)
【手続補正１】
【補正対象書類名】明細書
【補正対象項目名】００３７
【補正方法】変更
【補正の内容】
【００３７】
１０ＧｂｐｓのＯＮＵおよび１ＧｂｐｓのＯＮＵのような異なるダウンリンクレートを有するＯＮＵは、同じアップリンク波長を使用することから、デュアルモード受信機またはマルチモード受信機は、ＯＮＵに対するアップリンクレートを識別するように構成されていてもよい。
【国際調査報告】
2010509812.tif 000017
2010509812.tif 000018
2010509812.tif 000019
2010509812.tif 000020
2010509812.tif 000021
2010509812.tif 000022